(57)【要約】【課題】従来に比して指向性を向上することが可能な超指向性マイクロホンを提供する。【解決手段】本発明の一実施形態に係る超指向性マイクロホン１０は、音源側から収音側へ向けて等間隔に配列された第１〜第８のマイクロホンユニット１２ａ〜１２ｈと、第１〜第８のマイクロホンユニット１２ａ〜１２ｈにそれぞれ接続された第１〜第８の増幅器１４ａ〜１４ｈと、第２〜第８の増幅器１４ｂ〜１４ｈにそれぞれ接続された第１〜第７の加算器１６ａ〜１６ｇと、第１の増幅器１４ａと第１の加算器１６ａとの間に接続された第１の遅延器１８ａと、第１〜第７の加算器１６ａ〜１６ｇのうちの隣り合う加算器の間の間にそれぞれ接続された第２〜第７の遅延器１８ｂ〜１８ｇとを備え、第１〜第８の増幅器１４ａ〜１４ｈにおいて、第１〜第８のマイクロホンユニット１２ａ〜１２ｈの配列方向の中心側のマイクロホンユニットに接続される増幅器ほど利得が大きい。【選択図】図２
2009159278.tif 000002
【特許請求の範囲】
【請求項１】
音源側から収音側へ向けて等間隔に順に配列された第１〜第Ｎのマイクロホンユニット（Ｎは３以上の整数）と、
前記第１〜第Ｎのマイクロホンユニットにそれぞれ接続された入力端子を有する第１〜第Ｎの増幅器と、
前記第２〜第Ｎの増幅器の出力端子にそれぞれ入力端子の一方が接続された第１〜第Ｎ−１の加算器と、
前記第１の増幅器の出力端子と前記第１の加算器の他方の入力端子との間に接続された第１の遅延器と、
前記第１〜第Ｎ−１の加算器のうちの隣り合う加算器の間であって、前記第１〜第Ｎ−２の加算器の出力端子と前記第２〜第Ｎ−１の加算器の他方の入力端子との間にそれぞれ接続された第２〜第Ｎ−１の遅延器と、
を備え、
前記第１〜第Ｎの増幅器において、前記第１〜第Ｎのマイクロホンユニットの前記配列方向の中心側のマイクロホンユニットに接続される増幅器ほど利得が大きい、
超指向性マイクロホン。
【請求項２】
前記第１〜第Ｎの増幅器は、利得調整機能を備えていることを特徴とする、請求項１に記載の超指向性マイクロホン。
【請求項３】
前記第１〜第Ｎの増幅器は、ガウス窓に従ってそれぞれの利得が設定されている、請求項１又は２に記載の超指向性マイクロホン。
【請求項４】
前記第１〜第Ｎの増幅器は、カイザー窓に従ってそれぞれの利得が設定されている、請求項１又は２に記載の超指向性マイクロホン。
【請求項５】
筒状をなしており、音源側から収音側へ向けて延びた収音部材と、
前記収音部材内において前記収音側に配置されたマイクロホンユニットと、
を備え、
前記収音部材の延長方向に沿う側壁には、当該延長方向に等間隔に配列されたＮ個の収音窓（Ｎは３以上の整数）が設けられており、
前記Ｎ個の収音窓の大きさは中心側に配列された収音窓ほど大きい、
超指向性マイクロホン。
【請求項６】
前記Ｎ個の収音窓は、ガウス窓に従ってそれぞれの大きさが設定されている、請求項５に記載の超指向性マイクロホン。
【請求項７】
前記Ｎ個の収音窓は、カイザー窓に従ってそれぞれの大きさが設定されている、請求項５に記載の超指向性マイクロホン。
【請求項８】
筒状をなしており、音源側から収音側へ向けて延びた収音部材と、
前記収音部材内において前記収音側に配置されたマイクロホンユニットと、
を備え、
前記収音部材の延長方向に沿う側壁には、当該延長方向に長軸を有する略楕円状の収音窓が設けられている、
超指向性マイクロホン。
【請求項９】
前記収音窓は、ガウス窓に従って形状が設定されている、請求項８に記載の超指向性マイクロホン。
【請求項１０】
前記収音窓は、カイザー窓に従って形状が設定されている、請求項８に記載の超指向性マイクロホン。
【発明の詳細な説明】
【技術分野】
【０００１】
本発明は、特定の方向から入射する音声を高感度に収音する超指向性マイクロホンに関するものである。
【背景技術】
【０００２】
特定の方向から入射する音声を高感度に収音する超指向性マイクロホンが知られている。この種の超指向性マイクロホンが特許文献１に記載されている。この超指向性マイクロホンは、例えば、音源側から収音側へ向けて直線上に配列された第１〜第６のマイクロホンユニットと、第２〜第６のマイクロホンユニットにそれぞれ接続された一方の入力端子を有する第１〜第５の加算器と、第１のマイクロホンユニットと第１の加算器の他方の入力端子との間に接続された第１のオールパスフィルタと、第１〜第５の加算器のうちの隣り合う加算器の間であって、第１〜第４の加算器の出力端子と第２〜第５の加算器の他方の入力端子との間にそれぞれ接続された第２〜第５の遅延器とを備えており、指向性を実現している。
【特許文献１】特開平９−３２２２８７号公報
【発明の開示】
【発明が解決しようとする課題】
【０００３】
ところで、超指向性マイクロホンでは、更なる指向性の改善が求められている。
【０００４】
そこで、本発明は、従来に比して指向性を向上することが可能な超指向性マイクロホンを提供することを目的としている。
【課題を解決するための手段】
【０００５】
本発明の超指向性マイクロホンは、（ａ）音源側から収音側へ向けて等間隔に順に配列された第１〜第Ｎのマイクロホンユニット（Ｎは３以上の整数）と、（ｂ）第１〜第Ｎのマイクロホンユニットにそれぞれ接続された入力端子を有する第１〜第Ｎの増幅器と、（ｃ）第２〜第Ｎの増幅器の出力端子にそれぞれ入力端子の一方が接続された第１〜第Ｎ−１の加算器と、（ｄ）第１の増幅器の出力端子と第１の加算器の他方の入力端子との間に接続された第１の遅延器と、（ｅ）第１〜第Ｎ−１の加算器のうちの隣り合う加算器の間であって、第１〜第Ｎ−２の加算器の出力端子と第２〜第Ｎ−１の加算器の他方の入力端子との間にそれぞれ接続された第２〜第Ｎ−１の遅延器とを備え、（ｆ）第１〜第Ｎの増幅器において、第１〜第Ｎのマイクロホンユニットの配列方向の中心側のマイクロホンユニットに接続される増幅器ほど利得が大きい。
【０００６】
また、本発明の別の超指向性マイクロホンは、（ａ）筒状をなしており、音源側から収音側へ向けて延びた収音部材と、（ｂ）収音部材内において収音側に配置されたマイクロホンユニットとを備え、（ｃ）収音部材の延長方向に沿う側壁には、当該延長方向に等間隔に配列されたＮ個の収音窓（Ｎは３以上の整数）が設けられており、（ｄ）Ｎ個の収音窓の大きさは中心側に配列された収音窓ほど大きい。
【０００７】
また、本発明の更に別の超指向性マイクロホンは、（ａ）筒状をなしており、音源側から収音側へ向けて延びた収音部材と、（ｂ）収音部材内において収音側に配置されたマイクロホンユニットとを備え、（ｃ）収音部材の延長方向に沿う側壁には、当該延長方向に長軸を有する略楕円状の収音窓が設けられている。
【発明の効果】
【０００８】
本発明によれば、超指向性マイクロホンの指向性を従来に比して向上することができる。
【発明を実施するための最良の形態】
【０００９】
以下、図面を参照して本発明の好適な実施形態について詳細に説明する。なお、各図面において同一又は相当の部分に対しては同一の符号を附すこととする。
【００１０】
図１は、収音装置の一実施形態を示す斜視図である。図１には、収音装置１としてボイスレコーダを示す。この収音装置１は、超指向性マイクロホン１０と、操作部５と、表示部６と、スピーカー７とを備えている。以下では、超指向性マイクロホン１０について詳細に説明する。
［第１の実施形態］
【００１１】
図２は、本発明の第１の実施形態に係る超指向性マイクロホンを示す回路図である。図２に示す超指向性マイクロホン１０は、第１〜第８のマイクロホンユニット１２ａ〜１２ｈと、第１〜第８の増幅器１４ａ〜１４ｈと、第１〜第７の加算器１６ａ〜１６ｇと、第１〜第７の遅延器１８ａ〜１８ｇとを備えている。
【００１２】
第１〜第８のマイクロホンユニット１２ａ〜１２ｈは、音源側から収音側へ向けて等間隔に順に配列されている。第１〜第８のマイクロホンユニット１２ａ〜１２ｈは、それぞれ、音の大きさに応じたレベルの電気信号を生成する。本実施形態では、第１〜第８のマイクロホンユニット１２ａ〜１２ｈは、それぞれ、無指向性である。第１〜第８のマイクロホンユニット１２ａ〜１２ｈは、それぞれ、第１〜第８の増幅器１４ａ〜１４ｈの入力端子に接続されている。
【００１３】
すなわち、第１のマイクロホンユニット１２ａは第１の増幅器１４ａの入力端子に接続されており、第２のマイクロホンユニット１２ｂは第２の増幅器１４ｂの入力端子に接続されており、第３のマイクロホンユニット１２ｃは第３の増幅器１４ｃの入力端子に接続されており、第４のマイクロホンユニット１２ｄは第４の増幅器１４ｄの入力端子に接続されており、第５のマイクロホンユニット１２ｅは第５の増幅器１４ｅの入力端子に接続されており、第６のマイクロホンユニット１２ｆは第６の増幅器１４ｆの入力端子に接続されており、第７のマイクロホンユニット１２ｇは第７の増幅器１４ｇの入力端子に接続されており、第８のマイクロホンユニット１２ｈは第８の増幅器１４ｈの入力端子に接続されている。
【００１４】
第１〜第８の増幅器１４ａ〜１４ｈは、それぞれ、第１〜第８のマイクロホンユニット１２ａ〜１２ｈから出力された電気信号を増幅する。図３（ａ）に、第１〜第８の増幅器１４ａ〜１４ｈの利得特性を示す。図３（ａ）に示すように、第１〜第８の増幅器１４ａ〜１４ｈは、第１〜第８のマイクロホンユニット１２ａ〜１２ｈの配列方向の中心側のマイクロホンユニットに接続される増幅器ほど大きく設定されている。すなわち、第１の増幅器１４ａの利得より第２の増幅器１４ｂの利得の方が大きく、第２の増幅器１４ｂの利得より第３の増幅器１４ｃの利得の方が大きく、第３の増幅器１４ｃの利得より第４の増幅器１４ｄの利得の方が大きい。また、第８の増幅器１４ｈの利得より第７の増幅器１４ｇの利得の方が大きく、第７の増幅器１４ｇの利得より第６の増幅器１４ｆの利得の方が大きく、第６の増幅器１４ｆの利得より第５の増幅器１４ｅの利得の方が大きい。そして、第１〜第８の増幅器１４ａ〜１４ｈの利得は、ガウス窓やカイザー窓などの窓関数に従って設定されている。
【００１５】
第２〜第８の増幅器１４ｂ〜１４ｈの出力端子は、それぞれ、第１〜第７の加算器１６ａ〜１６ｇの一方の入力端子に接続されている。また、第１の増幅器１４ａの出力端子は、第１の遅延器１８ａを介して、第１の加算器１６ａの他方の入力端子に接続されている。
【００１６】
すなわち、第２の増幅器１４ｂの出力端子は第１の加算器１６ａの一方の入力端子に接続されており、第３の増幅器１４ｃの出力端子は第２の加算器１６ｂの一方の入力端子に接続されており、第４の増幅器１４ｄの出力端子は第３の加算器１６ｃの一方の入力端子に接続されており、第５の増幅器１４ｅの出力端子は第４の加算器１６ｄの一方の入力端子に接続されており、第６の増幅器１４ｆの出力端子は第５の加算器１６ｅの一方の入力端子に接続されており、第７の増幅器１４ｇの出力端子は第６の加算器１６ｆの一方の入力端子に接続されており、第８の増幅器１４ｈの出力端子は第７の加算器１６ｇの一方の入力端子に接続されている。
【００１７】
第１〜第７の加算器１６ａ〜１６ｇのうちの隣り合う加算器の間には、それぞれ、第２〜第７の遅延器１８ｂ〜１８ｇが接続されている。すなわち、第１〜第６の加算器１６ａ〜１６ｆの出力端子と第２〜第７の加算器１６ｂ〜１６ｇの他方の入力端子との間には、順に、それぞれ、第２〜第７の遅延器１８ｂ〜１８ｇが接続されている。
【００１８】
すなわち、第１の加算器１６ａの出力端子と第２の加算器１６ｂの他方の入力端子との間には第２の遅延器１８ｂが接続されており、第２の加算器１６ｂの出力端子と第３の加算器１６ｃの他方の入力端子との間には第３の遅延器１８ｃが接続されており、第３の加算器１６ｃの出力端子と第４の加算器１６ｄの他方の入力端子との間には第４の遅延器１８ｄが接続されており、第４の加算器１６ｄの出力端子と第５の加算器１６ｅの他方の入力端子との間には第５の遅延器１８ｅが接続されており、第５の加算器１６ｅの出力端子と第６の加算器１６ｆの他方の入力端子との間には第６の遅延器１８ｆが接続されており、第６の加算器１６ｆの出力端子と第７の加算器１６ｇの他方の入力端子との間には第７の遅延器１８ｇが接続されており、第７の加算器１６ｇの出力端子は後段回路に接続される。
【００１９】
第１〜第７の遅延器１８ａ〜１８ｇの遅延時間τは、第１〜第８のマイクロホンユニット１２ａ〜１２ｈ各々の間隔における音の到達時間に設定されている。具体的には、第１〜第８のマイクロホンユニット１２ａ〜１２ｈ各々の間隔Ｌ、音の伝搬速度Ｖに基づいて、第１〜第７の遅延器１８ａ〜１８ｇの遅延時間は、τ＝Ｌ／Ｖに設定される。例えば、サンプリングクロックの周波数が１６ｋＨｚである場合、第１〜第８のマイクロホンユニット１２ａ〜１２ｈ各々の間隔は約２１mmとなる。本実施形態のように、マイクロホンユニットが８個で構成される場合、総長は約１６０mmであり、実用的な長さである。
【００２０】
この超指向性マイクロホン１０では、方向Ａから音波が入射すると、音波の一部が第１のマイクロホンユニット１２ａで電気信号に変換され、第１の増幅器１４ａで増幅された後に、第１の遅延器１８ａで遅延時間τだけ遅延されて、第１の加算器１６ａの他方の入力端子に入力される。また、音波の他の一部は、空間を伝搬して第２のマイクロホンユニット１２ｂで電気信号に変換され、第２の増幅器１４ｂで増幅された後に第１の加算器１６ａの一方の入力端子に入力される。ここで、上記したように、第１の遅延器１８ａの遅延時間τは、第１〜第８のマイクロホンユニット１２ａ〜１２ｈ各々の間隔における音の到達時間に設定されているので、第１の加算器１６ａの一方の入力端子に入力する信号と他方の入力端子に入力される信号とは同位相となり、第１の加算器１６ａから出力される信号は増幅される。同様に、第２〜第７の加算器１６ｂ〜１６ｈでも増幅されることとなる。
【００２１】
一方、方向Ａに交差する方向Ｂから音波が入射する場合、音波の入射角をθとすると、空間を伝搬して第２のマイクロホンユニット１２ｂに入射する音波の遅延時間は、τ×ｃｏｓθとなるので、第１の加算器１６ａの一方の入力端子に入力する信号と他方の入力端子に入力される信号とでは位相が異なり、第１の加算器１６ａから出力される信号は減衰される。同様に、第２〜第７の加算器１６ｂ〜１６ｈでも減衰されることとなる。
【００２２】
このようにして、超指向性マイクロホン１０では、方向Ａから音波に対して感度が高く、それ以外の方向からの音波に対して感度が低い、という指向性を有することとなる。
【００２３】
次に、第１の実施形態の超指向性マイクロホン１０の指向性特性について説明する。図４は、第１の実施形態の超指向性マイクロホン１０の指向性特性のシミュレーション結果を示す図である。図４において、曲線Ａは第１の実施形態の超指向性マイクロホン１０の指向性特性であり、曲線Ｂは比較例の超指向性マイクロホンの指向性特性である。なお、比較例の超指向性マイクロホンは、図３（ｂ）に示すように、第１〜第８の増幅器１４ａ〜１４ｈの利得を全て同一に設定されている点で、第１の実施形態の超指向性マイクロホン１０と異なっている。
【００２４】
曲線Ａ，Ｂによれば、第１の実施形態の超指向性マイクロホン１０は、比較例の超指向性マイクロホンと比較して、メインローブの感度を略同一としつつ、サイドローブの感度を抑制できることがわかる。具体的には、第１の実施形態の超指向性マイクロホン１０は、０〜±５０°付近までの感度を略同一としつつ、それ以外の角度の感度を抑制できることがわかる。
【００２５】
このように、第１の実施形態の超指向性マイクロホン１０によれば、第１〜第８の増幅器１４ａ〜１４ｈにおいて、第１〜第８のマイクロホンユニット１２ａ〜１２ｈの配列方向の中心側のマイクロホンユニットに接続される増幅器ほど利得を大きく設定し、第１〜第８のマイクロホンユニット１２ａ〜１２ｈからの電気信号に対して重み付けを行うことにより、メインローブの感度を低減することなく、サイドローブの感度を抑制することができる。したがって、第１の実施形態の超指向性マイクロホン１０によれば、従来に比して指向性を向上することができる。
【００２６】
次に、収音装置の他の一実施形態について説明する。図５は、収音装置の他の一実施形態を示す斜視図である。図５には、収音装置１Ａとしてボイスレコーダを示す。この収音装置１Ａは、収音装置１において超指向性マイクロホン１０に代えて超指向性マイクロホン１０Ａを備えている構成で収音装置１と異なっている。以下では、超指向性マイクロホン１０Ａとして、２つの実施形態の超指向性マイクロホン１０Ａａ，１０Ａｂについて詳細に説明する。
［第２の実施形態］
【００２７】
図６は、本発明の第２の実施形態に係る超指向性マイクロホンの構成を示す図である。図６（ａ）には、図５における収音装置１Ａの正面側からみた超指向性マイクロホンが示されており、図６（ｂ）には、図５における収音装置１Ａの側面側からみた超指向性マイクロホンが示されている。図６に示す超指向性マイクロホン１０Ａａは、収音部材２０とマイクロホンユニット１２とを備えている。
【００２８】
収音部材２０は、円筒状をなしており、延長方向に沿う側面には音響抵抗を有した８個の収音窓２０ａ〜２０ｈを備えている。本実施形態では、収音部材２０の側面には、収音装置１Ａの正面側及び裏面側にそれぞれ対称的に収音窓２０ａ〜２０ｈが設けられている。収音窓２０ａ〜２０ｈは、収音部材２０の延長方向に等間隔に配列されており、収音窓２０ａ〜２０ｈの大きさは、中心側に配列された収音窓ほど大きい。すなわち、収音窓２０ａより収音窓２０ｂの方が大きく、収音窓２０ｂより収音窓２０ｃの方が大きく、収音窓２０ｃより収音窓２０ｄの方が大きい。また、収音窓２０ｈより収音窓２０ｇの方が大きく、収音窓２０ｇより収音窓２０ｆの方が大きく、収音窓２０ｆより収音窓２０ｅの方が大きい。そして、収音窓２０ａ〜２０ｈの大きさは、ガウス窓やカイザー窓などの窓関数に従って設定されている。
【００２９】
収音部材２０の内部であって、収音側にはマイクロホンユニット１２が設けられている。マイクロホンユニット１２は、上記した第１〜第８のマイクロホンユニット１２ａ〜１２ｈと同一である。
【００３０】
この超指向性マイクロホン１０Ａａでは、方向Ａから音波が入射すると、音波の一部が収音窓２０ａに入射し、収音部材２０の内部をマイクロホンユニット１２へ向けて伝搬する。また、音波の他の一部は、空間を伝搬して収音窓２０ｂに入射する。収音窓２０ａに入射して収音部材２０の内部を伝搬する音波と空間を伝搬して収音窓２０ｂに入射する音波とは同位相となり、信号は増幅される。同様に、収音窓２０ｃ〜２０ｈにおいても増幅されることとなる。
【００３１】
一方、方向Ａに交差する方向Ｂから音波が入射する場合、音波の入射角をθとすると、空間を伝搬して収音窓２０ｂに入射する音波の遅延時間は、収音窓２０ａに入射して収音部材２０の内部を伝搬する音波の遅延時間より短くなる。これによって、収音窓２０ａに入射して収音部材２０の内部を伝搬する音波と空間を伝搬して収音窓２０ｂに入射する音波とでは位相が異なり、信号は減衰されることとなる。
【００３２】
このようにして、超指向性マイクロホン１０Ａａでは、方向Ａから音波に対して感度が高く、それ以外の方向からの音波に対して感度が低い、指向性を有することとなる。
【００３３】
次に、図７に、比較例１の超指向性マイクロホンの構成を示す。図７（ａ）には、図５における収音装置１Ａの正面側からみた超指向性マイクロホンが示されており、図７（ｂ）には、図５における収音装置１Ａの側面側からみた超指向性マイクロホンが示されている。図７に示す超指向性マイクロホン１０Ｘａは、超指向性マイクロホン１０Ａａにおいて収音部材２０に替えて収音部材２１を備えており、収音部材２１は、収音部材２０において収音窓２０ａ〜２０ｈに代えて、大きさが同一である収音窓２１ａ〜２１ｈを備えている点で、第２の実施形態と異なっている。
【００３４】
第２の実施形態の超指向性マイクロホン１０Ａａ及び比較例１の超指向性マイクロホン１０Ｘａの指向性特性のシミュレーションを行った結果、第２の実施形態の超指向性マイクロホン１０Ａａでも、比較例１の超指向性マイクロホン１０Ｘａと比較して、メインローブの感度を略同一としつつ、サイドローブの感度を抑制できることが確認できた。
【００３５】
この第２の実施形態の超指向性マイクロホン１０Ａａでも、収音窓２０ａ〜２０ｈが、収音部材２０の延長方向に等間隔に配列されており、収音窓２０ａ〜２０ｈの大きさが、中心側に配列された収音窓ほど大きく設定されることにより、メインローブの感度を低減することなく、サイドローブの感度を抑制することができる。したがって、第２の実施形態の超指向性マイクロホン１０Ａａによれば、従来に比して指向性を向上することができる。
［第３の実施形態］
【００３６】
図８は、本発明の第３の実施形態に係る超指向性マイクロホンの構成を示す図である。図８（ａ）には、図５における収音装置１Ａの正面側からみた超指向性マイクロホンが示されており、図８（ｂ）には、図５における収音装置１Ａの側面側からみた超指向性マイクロホンが示されている。図８に示す超指向性マイクロホン１０Ａｂは、収音部材２０Ａとマイクロホンユニット１２とを備えている。
【００３７】
収音部材２０Ａは、収音部材２０において音響抵抗を有した収音窓２０ａ〜２０ｈに代えて音響抵抗を有した収音窓２０ｉを備えている点で収音部材２０と異なっている。収音窓２０ｉは、収音部材２０の延長方向に長軸を有する略楕円状をなしている。そして、収音窓２０ａ〜２０ｈの形状は、ガウス窓やカイザー窓などの窓関数に従って設定されている。
【００３８】
この超指向性マイクロホン１０Ａｂでは、方向Ａから音波が入射すると、音波の一部が収音窓２０ｉに入射し、収音部材２０の内部をマイクロホンユニット１２へ向けて伝搬する。正面から入射された音波と空間を伝搬して収音窓２０ｉに入射する音波とは同位相となり、信号は増幅される。
【００３９】
一方、方向Ａに交差する方向Ｂから音波が入射する場合、音波の入射角をθとすると、空間を伝搬して収音窓２０ｉに入射する音波の遅延時間は、マイクロホンユニット側へ近づくにつれて短くなる。これによって、収音窓２０ｉに入射して収音部材２０の内部を伝搬する音波は位相が異なり、信号は減衰されることとなる。
【００４０】
このようにして、超指向性マイクロホン１０Ａｂでは、方向Ａから音波に対して感度が高く、それ以外の方向からの音波に対して感度が低い、指向性を有することとなる。
【００４１】
次に、図９に、比較例２の超指向性マイクロホンの構成を示す。図９（ａ）には、図５における収音装置１Ａの正面側からみた超指向性マイクロホンが示されており、図９（ｂ）には、図５における収音装置１Ａの側面側からみた超指向性マイクロホンが示されている。図９に示す超指向性マイクロホン１０Ｘｂは、超指向性マイクロホン１０Ａｂにおいて収音部材２０Ａに代えて収音部材２１Ａを備えており、収音部材２０Ａは、収音窓２０ｉに代えて、略矩形状の収音窓２１ｉを備えている点で、第３の実施形態と異なっている。
【００４２】
第３の実施形態の超指向性マイクロホン１０Ａｂ及び比較例２の超指向性マイクロホン１０Ｘｂの指向性特性のシミュレーションを行った結果、第３の実施形態の超指向性マイクロホン１０Ａｂでも、比較例２の超指向性マイクロホン１０Ｘｂと比較して、メインローブの感度を略同一としつつ、サイドローブの感度を抑制できることが確認できた。
【００４３】
この第３の実施形態の超指向性マイクロホン１０Ａｂでも、収音窓２０ｉが、収音部材２０の延長方向に長軸を有する略楕円状をなしていることにより、メインローブの感度を低減することなく、サイドローブの感度を抑制することができる。したがって、第３の実施形態の超指向性マイクロホン１０Ａｂによれば、従来に比して指向性を向上することができる。
【００４４】
なお、本発明は上記した本実施形態に限定されることなく種々の変形が可能である。第１の実施形態では、マイクロホンユニット及び増幅器をそれぞれ８個備えていたが、マイクロホンユニット及び増幅器はそれぞれ３個以上であれば本発明が成り立つ。
【００４５】
同様に、第２の実施形態では、収音窓を８個備えていたが、収音窓は３個以上であれば本発明が成り立つ。
【００４６】
また、第１の実施形態では、増幅器が利得調整機能を備えていてもよい。これによれば、増幅器の利得調整が容易である。
【図面の簡単な説明】
【００４７】
【図１】収音装置の一実施形態を示す斜視図である。
【図２】本発明の第１の実施形態に係る超指向性マイクロホンを示す回路図である。
【図３】図２における第１〜第８の増幅器の利得特性を示す。
【図４】第１の実施形態の超指向性マイクロホンの指向性特性のシミュレーション結果を示す図である。
【図５】収音装置の他の一実施形態を示す斜視図である。
【図６】本発明の第２の実施形態に係る超指向性マイクロホンの構成を示す図である。
【図７】比較例１の超指向性マイクロホンの構成を示す。
【図８】本発明の第３の実施形態に係る超指向性マイクロホンの構成を示す図である。
【図９】比較例２の超指向性マイクロホンの構成を示す。
【符号の説明】
【００４８】
１，１Ａ…収音装置、５…操作部、６…表示部、７…スピーカー、１０，１０Ａ，１０Ａａ，１０Ａｂ，１０Ｘａ，１０Ｘｂ…超指向性マイクロホン、１２ａ〜１２ｈ…マイクロホンユニット、１４ａ〜１４ｈ…増幅器、１６ａ〜１６ｇ…加算器、１８ａ〜１８ｇ…遅延器、２０，２０Ａ，２１，２１Ａ…収音部材、２０ａ〜２０ｉ…収音窓。
【図１】
2009159278.tif 000003
【図２】
2009159278.tif 000004
【図３】
2009159278.tif 000005
【図４】
2009159278.tif 000006
【図５】
2009159278.tif 000007
【図６】
2009159278.tif 000008
【図７】
2009159278.tif 000009
【図８】
2009159278.tif 000010
【図９】
2009159278.tif 000011